(57)【特許請求の範囲】
【請求項１】
番組表に記載される放送イベントが放送されるように、現用系データを作成するための第１の現用系伝送制御を行う第１の制御装置と、
前記現用系データと同一内容の予備系データを作成するための第１の予備系伝送制御を行う第２の制御装置と、
素材データを記録しており、前記第１の現用系伝送制御に応じ、前記記録している素材データを第１の素材データとして出力する第１の素材サーバと、
素材データを記録しており、前記第１の予備系伝送制御に応じ、前記記録している素材データを第２の素材データとして出力する第２の素材サーバと、
前記第１の素材データと、前記第２の素材データとを受け取り、前記受け取った第１及び第２の素材データをそれぞれ別の出力先へ出力する切替分岐装置と、
前記第１の現用系伝送制御に従い、前記切替分岐装置から出力される第１の素材データに基づいて前記現用系データを作成する現用系伝送装置と、
前記第１の予備系伝送制御に従い、前記切替分岐装置から出力される第２の素材データに基づいて前記予備系データを作成する予備系伝送装置と、
前記現用系データ及び前記予備系データのうち、何れかのデータを出力する切替選択装置と
を具備し、
前記第１及び第２の制御装置は、互いの状態をそれぞれ監視し、
前記第１の制御装置は、前記第２の制御装置に障害が発生した場合、前記切替分岐装置に前記第１の素材データを分岐させ、前記分岐させた第１の素材データを前記現用系伝送装置及び前記予備系伝送装置へ出力させる第１の分岐制御と、前記予備系伝送装置に前記第１の素材データに基づいて予備系データを作成させる第２の予備系伝送制御とを行い、
前記第２の制御装置は、前記第１の制御装置に障害が発生した場合、前記切替分岐装置に前記第２の素材データを分岐させ、前記分岐させた第２の素材データを前記現用系伝送装置及び前記予備系伝送装置へ出力させる第２の分岐制御と、前記現用系伝送装置に前記第２の素材データに基づいて現用系データを作成させる第２の現用系伝送制御とを行うことを特徴とする放送システム。
【請求項２】
番組表に記載される放送イベントが放送されるように、現用系データを作成するための第１の現用系伝送制御を行う第１の制御装置と、前記現用系データと同一内容の予備系データを作成するための第１の予備系伝送制御を行う第２の制御装置と、素材データを記録しており、前記第１の現用系伝送制御に応じ、前記記録している素材データを第１の素材データとして出力する第１の素材サーバと、素材データを記録しており、前記第１の予備系伝送制御に応じ、前記記録している素材データを第２の素材データとして出力する第２の素材サーバと、前記第１の素材データと、前記第２の素材データとを受け取り、前記受け取った第１及び第２の素材データをそれぞれ別の出力先へ出力する切替分岐装置と、前記第１の現用系伝送制御に従い、前記切替分岐装置から出力される第１の素材データに基づいて前記現用系データを作成する現用系伝送装置と、前記第１の予備系伝送制御に従い、前記切替分岐装置から出力される第２の素材データに基づいて前記予備系データを作成する予備系伝送装置と、前記現用系データ及び前記予備系データのうち、何れかのデータを出力する切替選択装置とを具備する放送システムで用いられる冗長構成補償方法において、
前記第１及び第２の制御装置が互いの状態をそれぞれ監視し、
前記第１の制御装置が前記第２の制御装置に障害が発生したと判断した場合、前記第１の制御装置により、前記切替分岐装置に前記第１の素材データを分岐させ、前記分岐させた第１の素材データを前記現用系伝送装置及び前記予備系伝送装置へ出力させる第１の分岐制御と、前記予備系伝送装置に前記第１の素材データに基づいて予備系データを作成させる第２の予備系伝送制御とを行い、
前記第２の制御装置が前記第１の制御装置に障害が発生した場合、前記第２の制御装置により、前記切替分岐装置に前記第２の素材データを分岐させ、前記分岐させた第２の素材データを前記現用系伝送装置及び前記予備系伝送装置へ出力させる第２の分岐制御と、前記現用系伝送装置に前記第２の素材データに基づいて現用系データを作成させる第２の現用系伝送制御とを行うことを特徴とする冗長構成補償方法。
【発明の詳細な説明】
【技術分野】
【０００１】
本発明の実施形態は、冗長構成を採り、現用系装置から出力されるデータ又は予備系装置から出力されるデータのいずれか一方を出力する放送システム、及び、この放送システムで用いられる冗長構成補償方法に関する。
【背景技術】
【０００２】
放送システムは、素材サーバ、現用系伝送装置、予備系伝送装置、切替選択装置、第１の制御装置及び第２の制御装置を具備する。素材サーバは、素材データを記録しており、第１及び第２の制御装置により指定された素材データを出力する。
【０００３】
放送システムは、可用性を高めるために現用系伝送装置と予備系伝送装置とに２重化されている。現用系伝送装置及び予備系伝送装置は、出力された素材データに基づいて現用系データ及び予備系データをそれぞれ作成する。切替選択装置は、現用系伝送装置に障害がある場合、予備系伝送装置に出力を切り替える。
【０００４】
第１の制御装置は、番組表に従い、素材サーバ及び現用系伝送装置に対して現用系伝送制御を行うことで、素材サーバに素材データを出力させ、現用系伝送装置に現用系データを作成させる。第２の制御装置は、番組表に従い、素材サーバ及び予備系伝送装置に対して予備系伝送制御を行うことで、素材サーバに素材データを出力させ、予備系伝送装置に予備系データを作成させる。
【０００５】
しかしながら、第１及び第２の制御装置は、現用系伝送装置及び予備系伝送装置に対して１つずつしか設置されていないため、例えば、第２の制御装置に障害が発生した場合、素材サーバ及び予備系伝送装置を制御する装置が不在となる。このため、予備系伝送装置自体は正常であるにも関らず、予備系伝送装置を運用できない状態となってしまう。そして、第２の制御装置に障害が発生した状態で、現用系伝送装置に障害が発生した場合、放送システムの運用を継続できなくなるという問題がある。
【先行技術文献】
【特許文献】
【０００６】
【特許文献１】特開２０００−２６９８６４号公報
【発明の概要】
【発明が解決しようとする課題】
【０００７】
以上のように、従来の放送システムでは、第１又は第２の制御装置に障害が発生すると、現用系伝送装置又は予備系伝送装置を制御する装置が不在となり、冗長構成が成立しなくなるという問題がある。
【０００８】
そこで、目的は、第１又は第２の制御装置に障害が発生した場合であっても、冗長構成を維持可能な放送システム及びこの放送システムで用いられる冗長構成補償方法を提供することにある。
【課題を解決するための手段】
【０００９】
実施形態によれば、放送システムは、第１及び第２の制御装置、第１及び第２の素材サーバ、切替分岐装置、現用系伝送装置、予備系伝送装置及び切替選択装置を具備する。第１の制御装置は、番組表に記載される放送イベントが放送されるように、現用系データを作成するための第１の現用系伝送制御を行う。第２の制御装置は、前記現用系データと同一内容の予備系データを作成するための第１の予備系伝送制御を行う。第１の素材サーバは、素材データを記録しており、前記第１の現用系伝送制御に応じ、前記記録している素材データを第１の素材データとして出力する。第２の素材サーバは、素材データを記録しており、前記第１の予備系伝送制御に応じ、前記記録している素材データを第２の素材データとして出力する。切替分岐装置は、前記第１の素材データと、前記第２の素材データとを受け取り、前記受け取った第１及び第２の素材データをそれぞれ別の出力先へ出力する。現用系伝送装置は、前記第１の現用系伝送制御に従い、前記切替分岐装置から出力される第１の素材データに基づいて前記現用系データを作成する。予備系伝送装置は、前記第１の予備系伝送制御に従い、前記切替分岐装置から出力される第２の素材データに基づいて前記予備系データを作成する。切替選択装置は、前記現用系データ及び前記予備系データのうち、何れかのデータを出力する。そして、前記第１及び第２の制御装置は、互いの状態をそれぞれ監視する。前記第１の制御装置は、前記第２の制御装置に障害が発生した場合、前記切替分岐装置に前記第１の素材データを分岐させ、前記分岐させた第１の素材データを前記現用系伝送装置及び前記予備系伝送装置へ出力させる第１の分岐制御と、前記予備系伝送装置に前記第１の素材データに基づいて予備系データを作成させる第２の予備系伝送制御とを行う。前記第２の制御装置は、前記第１の制御装置に障害が発生した場合、前記切替分岐装置に前記第２の素材データを分岐させ、前記分岐させた第２の素材データを前記現用系伝送装置及び前記予備系伝送装置へ出力させる第２の分岐制御と、前記現用系伝送装置に前記第２の素材データに基づいて現用系データを作成させる第２の現用系伝送制御とを行う。
【図面の簡単な説明】
【００１０】
【図１】本実施形態に係る放送システムの機能構成を示すブロック図である。
【図２】図１の第１の制御装置の監視動作についての処理を示すフローチャートである。
【図３】図１の第２の制御装置の監視動作についての処理を示すフローチャートである。
【発明を実施するための形態】
【００１１】
以下、実施の形態について、図面を参照して説明する。
【００１２】
図１は、本実施形態に係る放送システムの機能構成を示すブロック図である。図１に示す放送システムは、第１及び第２の素材サーバ１１，１２、切替分岐装置１３、現用系伝送装置１４、予備系伝送装置１５、第１及び第２の切替選択装置１６，１７、第１及び第２の制御装置１８，１９及び監視装置１１０を具備する。
【００１３】
第１の素材サーバ１１は、複数の番組素材及びＣＭ素材等の素材データを記録している。第１の素材サーバ１１は、第１の制御装置１８から与えられる第１の現用系伝送制御に従って素材データを読み出し、読み出した素材データを第１の素材データとして切替分岐装置１３へ出力する。
【００１４】
第２の素材サーバ１２は、第１の素材サーバに記録される素材データと同様の素材データを記録している。第２の素材サーバ１２は、第２の制御装置１９から与えられる第１の予備系伝送制御に従って素材データを読み出し、読み出した素材データを第２の素材データとして切替分岐装置１３へ出力する。
【００１５】
切替分岐装置１３は、第１の素材サーバ１１からの第１の素材データと、第２の素材サーバ１２からの第２の素材データとの出力先を、第１及び第２の制御装置１８，１９から与えられる制御に従って決定する。すなわち、第１の制御装置１８から第１の分岐制御が与えられず、かつ、第２の制御装置１９から第２の分岐制御が与えられない場合、切替分岐装置１３は、第１の素材データを現用系伝送装置１４へ出力し、第２の素材データを予備系伝送装置１５へ出力する。また、第１の制御装置１８から第１の分岐制御が与えられる場合、切替分岐装置１３は、第１の素材データを分岐し、分岐した第１の素材データを現用系伝送装置１４及び予備系伝送装置１５へ出力する。また、第２の制御装置１９から第２の分岐制御が与えられる場合、切替分岐装置１３は、第２の素材データを分岐し、分岐した第２の素材データを現用系伝送装置１４及び予備系伝送装置１５へ出力する。
【００１６】
現用系伝送装置１４は、ベースバンド伝送装置１４１及びストリーム伝送装置１４２を含む。
【００１７】
ベースバンド伝送装置１４１は、切替分岐装置１３から供給される第１の素材データに、第１の制御装置１８により指定されるタイムスーパー等の効果を施して第１の切替選択装置１６へ出力する。また、第１の制御装置１８に障害が発生している場合には、ベースバンド伝送装置１４１は、切替分岐装置１３から供給される第２の素材データに、第２の制御装置１９により指定されるタイムスーパー等の効果を施して第１の切替選択装置１６へ出力する。
【００１８】
ストリーム伝送装置１４２は、第１の切替選択装置１６から供給されるデータを、第１の制御装置１８からの指示に応じて、予め設定された符号化方式に基づいて符号化する。ストリーム伝送装置１４２は、符号化することにより得られたストリームデータを第２の切替選択装置１７へ出力する。また、第１の制御装置１８に障害が発生している場合には、ストリーム伝送装置１４２は、第１の切替選択装置１６から供給されるデータを、第２の制御装置１９からの指示に応じて、予め設定された符号化方式に基づいて符号化する。
【００１９】
予備系伝送装置１５は、ベースバンド伝送装置１５１及びストリーム伝送装置１５２を含む。
【００２０】
ベースバンド伝送装置１５１は、切替分岐装置１３から供給される第２の素材データに、第２の制御装置１９により指定されるタイムスーパー等の効果を施して第１の切替選択装置１６へ出力する。また、第２の制御装置１９に障害が発生している場合には、ベースバンド伝送装置１５１は、切替分岐装置１３から供給される第１の素材データに、第１の制御装置１８により指定されるタイムスーパー等の効果を施して第１の切替選択装置１６へ出力する。
【００２１】
ストリーム伝送装置１５２は、第１の切替選択装置１６から供給されるデータを、第２の制御装置１９からの指示に応じて、予め設定された符号化方式に基づいて符号化する。ストリーム伝送装置１５２は、符号化することにより得られたストリームデータを第２の切替選択装置１７へ出力する。また、第２の制御装置１９に障害が発生している場合には、ストリーム伝送装置１５２は、第１の切替選択装置１６から供給されるデータを、第１の制御装置１８からの指示に応じて、予め設定された符号化方式に基づいて符号化する。
【００２２】
第１の切替選択装置１６は、監視装置１１０から与えられる切替制御に応じ、ベースバンド伝送装置１４１から供給されるデータを、ストリーム伝送装置１４２，１５２のいずれか一方へ出力する。また、第１の切替選択装置１６は、監視装置１１０から与えられる切替制御に応じ、ベースバンド伝送装置１５１から供給されるデータを、ストリーム伝送装置１４２，１５２のいずれか一方へ出力する。
【００２３】
第２の切替選択装置１７は、監視装置１１０から与えられる切替制御に応じ、ストリーム伝送装置１４２，１５２から供給されるストリームデータのうち、いずれか一方を出力する。
【００２４】
第１の制御装置１８は、例えば自動番組送出制御装置（図示せず）から番組表を供給される。番組表には、番組及びＣＭ等の放送イベントが放送される時刻順に並んで記載されている。第１の制御装置１８は、番組表に記載される放送イベントが、番組表に記載される時刻に放送されるように、第１の素材サーバ１１及び現用系伝送装置１４に対して、第１の現用系伝送制御を行う。
【００２５】
第１の現用系伝送制御では、第１の制御装置１８は、番組表に記載される時刻に応じたタイミングで、番組表に記載される放送イベントについての素材データを読み出すように、第１の素材サーバ１１に対して指示を出す。また、第１の現用系伝送制御では、第１の制御装置１８は、タイムスーパー等の効果を施して第１の素材データを出力するように、ベースバンド伝送装置１４１に対して指示を出す。また、第１の現用系伝送制御では、第１の制御装置１８は、第１の切替選択装置１６から出力される素材データを符号化するように、ストリーム伝送装置１４２に対して指示を出す。
【００２６】
また、第１の制御装置１８は、第２の制御装置１９の状態を監視することで、第２の制御装置１９の生存確認を行う。例えば、第１の制御装置１８は、ハートビートチェックにより、第２の制御装置１９の生存確認を行う。ハートビートチェックでは、第１の制御装置１８は、第２の制御装置１９からのイベント通知が予め設定された一定周期で繰り返し受信されているか否かを判断し、一定周期を超えてもイベント通知が受信されない場合に、第２の制御装置１９に障害が発生したと判断する。第２の制御装置１９に障害が発生したと判断した場合、第１の制御装置１８は、予備系伝送装置１５に対して第２の予備系伝送制御を行うと共に、切替分岐装置１３に対して第１の分岐制御を行う。
【００２７】
第２の予備系伝送制御では、第１の制御装置１８は、タイムスーパー等の効果を施して第１の素材データを出力するように、ベースバンド伝送装置１５１に対して指示を出す。また、第２の予備系伝送制御では、第１の制御装置１８は、第１の切替選択装置１６から出力される素材データを符号化するように、ストリーム伝送装置１５２に対して指示を出す。また、第１の分岐制御では、第１の制御装置１８は、切替分岐装置１３に対して、第１の素材サーバ１１からの第１の素材データを分岐し、分岐した第１の素材データを現用系伝送装置１４及び予備系伝送装置１５へ出力するように指示を出す。
【００２８】
第２の制御装置１９は、例えば自動番組送出制御装置（図示せず）から番組表を供給される。第２の制御装置１９は、番組表に記載される放送イベントが、番組表に記載される時刻に放送されるように、第２の素材サーバ１２及び予備系伝送装置１５に対して、第１の予備系伝送制御を行う。
【００２９】
第１の予備系伝送制御では、第２の制御装置１９は、番組表に記載される時刻に応じたタイミングで、番組表に記載される放送イベントについての素材データを読み出すように、第２の素材サーバ１２に対して指示を出す。また、第１の予備系伝送制御では、第２の制御装置１９は、タイムスーパー等の効果を施して第２の素材データを出力するように、ベースバンド伝送装置１５１に対して指示を出す。また、第１の予備系伝送制御では、第２の制御装置１９は、番組表に記載される時刻に応じたタイミングで、第１の切替選択装置１６から出力される素材データを符号化するように、ストリーム伝送装置１５２に対して指示を出す。
【００３０】
また、第２の制御装置１９は、第１の制御装置１８の状態を監視することで、第１の制御装置１８の生存確認を行う。例えば、第２の制御装置１９は、ハートビートチェックにより、第１の制御装置１８の生存確認を行う。第１の制御装置１８に障害が発生したと判断した場合、第２の制御装置１９は、現用系伝送装置１４に対して第２の現用系伝送制御を行うと共に、切替分岐装置１３に対して第２の分岐制御を行う。
【００３１】
第２の現用系伝送制御では、第２の制御装置１９は、タイムスーパー等の効果を施して第２の素材データを出力するように、ベースバンド伝送装置１４１に対して指示を出す。また、第２の現用系伝送制御では、第２の制御装置１９は、番組表に記載される時刻に応じたタイミングで、第１の切替選択装置１６から出力される素材データを符号化するように、ストリーム伝送装置１４２に対して指示を出す。また、第２の分岐制御では、第２の制御装置１９は、切替分岐装置１３に対して、第２の素材サーバ１２からの第２の素材データを分岐し、分岐した第２の素材データを現用系伝送装置１４及び予備系伝送装置１５へ出力するように指示を出す。
【００３２】
監視装置１１０は、第１及び第２の素材サーバ１１，１２、ベースバンド伝送装置１４１，１５１及びストリーム伝送装置１４２，１５２の状態を監視し、これらに障害が発生したか否かを判断する。監視装置１１０は、第１及び第２の素材サーバ１１，１２、ベースバンド伝送装置１４１，１５１及びストリーム伝送装置１４２，１５２の状態に応じて第１及び第２の切替選択装置１６，１７に対して切替制御を行い、正常なストリームデータが第２の切替選択装置から出力されるようにする。
【００３３】
例えば、ベースバンド伝送装置１４１に障害が発生した場合、監視装置１１０は、ベースバンド伝送装置１５１から供給されるデータをストリーム伝送装置１４２へ出力するように第１の切替選択装置１６を切り替える。また、必要に応じて、ストリーム伝送装置１４２から供給されるデータを後段へ出力するように第２の切替選択装置１７を切り替える。また、ストリーム伝送装置１４２に障害が発生した場合、監視装置１１０は、ストリーム伝送装置１５２から供給されるデータを後段へ出力するように第２の切替選択装置１７を切り替える。
【００３４】
次に、以上のように構成された放送システムにおいて、第１及び第２の制御装置１８，１９が互いの動作を補償する際の動作を説明する。
【００３５】
図２は、本実施形態に係る第１の制御装置１８が第２の制御装置１９の状態を監視し、予備系伝送装置１５の制御も行うか否かを判断する際の処理を示すフローチャートである。
【００３６】
第１の制御装置１８は、ハートビートチェックにより、第２の制御装置１９に障害が発生したか否かを判断する（ステップＳ２１）。第２の制御装置１９に障害が発生していない場合（ステップＳ２１のＮｏ）、第１の制御装置１８は、他系制御フラグをオフとしたまま、処理をステップＳ２１へ移行する。
【００３７】
第２の制御装置１９に障害が発生した場合（ステップＳ２１のＹｅｓ）、第１の制御装置１８は、第１の現用系伝送制御に加えて、第２の予備系伝送制御及び第１の分岐制御を行うように、他系制御フラグをオンとして、処理を終了する（ステップＳ２２）。
【００３８】
図３は、本実施形態に係る第２の制御装置１９が第１の制御装置１８の状態を監視し、現用系伝送装置１４の制御も行うか否かを判断する際の処理を示すフローチャートである。
【００３９】
第２の制御装置１９は、ハートビートチェックにより、第１の制御装置１８に障害が発生したか否かを判断する（ステップＳ３１）。第１の制御装置１８に障害が発生していない場合（ステップＳ３１のＮｏ）、第２の制御装置１９は、他系制御フラグをオフとしたまま、処理をステップＳ３１へ移行する。
【００４０】
第１の制御装置１８に障害が発生した場合（ステップＳ３１のＹｅｓ）、第２の制御装置１９は、第１の予備系伝送制御に加えて、第２の現用系伝送制御及び第２の分岐制御を行うように、他系制御フラグをオンとして、処理を終了する（ステップＳ３２）。
【００４１】
以上のように、本実施形態では、第１及び第２の制御装置１８，１９は、互いに生存しているか否かを常に監視する。そして、例えば、第１の制御装置１８が第２の制御装置１９に障害が発生したことを検知した場合、第１の制御装置１８は、第１の現用系伝送制御に応じて出力される第１の素材データを分岐して現用系伝送装置１４及び予備系伝送装置１５へ出力するように、切替分岐装置１３に対して第１の分岐制御を行う。また、第１の制御装置１８は、第１の分岐制御を行うと共に、障害が発生した第２の制御装置１９に代わり、予備系伝送装置１５に対して第２の予備系伝送制御を行うようにしている。また、第２の制御装置１９が第１の制御装置１８に障害が発生したことを検知した場合には、第２の制御装置１９は、第１の予備系伝送制御に応じて出力される第２の素材データを分岐して現用系伝送装置１４及び予備系伝送装置１５へ出力するように、切替分岐装置１３に対して第２の分岐制御を行う。また、第２の制御装置１９は、第２の分岐制御を行うと共に、障害が発生した第１の制御装置１８に代わり、現用系伝送装置１４に対して第２の現用系伝送制御を行うようにしている。これにより、第１及び第２の制御装置のいずれかに障害が発生した場合であっても、現用系伝送装置１４又は予備系伝送装置１５を制御する装置が不在となることはなくなる。
【００４２】
また、従来では、第１又は第２の制御装置に障害が発生した場合、障害が発生した制御装置は、素材サーバに対して伝送制御を行うことができない。そのため、第１又は第２の制御装置に障害が発生した場合、現用系伝送装置又は予備系伝送装置へは、素材サーバから素材データが供給されないこととなる。これに対し、本実施形態では、第１又は第２の制御装置１８，１９のいずれか一方が他方の制御装置に障害が発生したことを検知した場合、検知した制御装置は、切替分岐装置１３に対して、受信した素材データを分岐し、分岐した素材データを現用系伝送装置及び予備系伝送装置へ出力させる分岐制御を行うようにしている。これにより、第１又は第２の制御装置１８，１９に障害が発生し、第１又は第２の素材サーバ１１，１２から素材データが出力されない場合であっても、現用系伝送装置１４及び予備系伝送装置１５のいずれにも素材データが供給されることとなる。
【００４３】
また、本実施形態に記載される方法とは別の方法として、正常な制御装置が、自身が制御する素材サーバに加え、障害が発生した制御装置が制御する素材サーバも制御するように動作する方法も考えられる。しかしながら、この方法では、２つの素材サーバ間の同期をとる必要がある。これに対し、本実施形態における放送システムは、切替分岐装置１３により、素材データを分岐し、分岐した素材データを現用系伝送装置１４及び予備系伝送装置１５へ出力するようにしているため、２つの素材サーバ間の同期をとる必要はなく、より単純な処理で効果を得ることが可能となる。
【００４４】
また、本実施形態に記載される方法とは別の方法として、監視装置が、第１及び第２の制御装置の生存を監視し、障害が発生した場合、監視装置が、正常な制御装置に対して、障害が発生した制御装置の処理の一部を代行するように指示を出すという方法も考えられる。しかしながら、この方法では、第１又は第２の制御装置は、監視装置からの指示を待たなければならず、制御装置に発生した障害に対して迅速に対応することができない。これに対し、本実施形態における放送システムは、第１及び第２の制御装置１８，１９により、互いの生存を監視し合い、一方に障害が発生した場合、正常な制御装置が、故障した制御装置の制御の一部を代行するようにしているため、制御装置に発生した障害に対して迅速に対応することが可能となる。
【００４５】
したがって、本実施形態に係る放送システムによれば、第１又は第２の制御装置１８，１９に障害が発生した場合であっても、冗長構成を維持することができる。
【００４６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１１…第１の素材サーバ、１２…第２の素材サーバ、１３…切替分岐装置、１４…現用系伝送装置、１４１，１５１…ベースバンド伝送装置、１４２，１５２…ストリーム伝送装置、１５…予備系伝送装置、１６…第１の切替選択装置、１７…第２の切替選択装置、１８…第１の制御装置、１９…第２の制御装置、１１０…監視装置
【図１】
0005694130.tif 000002
【図２】
0005694130.tif 000003
【図３】
0005694130.tif 000004